(57)【要約】【課題】  種々の形態で良好に陳列展示できる形状のパッケージを提供する。【解決手段】  少なくとも一部が透明な樹脂で成形された表面側ケース１１０と裏面側ケース１２０とを接合して、内部に製品が収納されるパッケージ１００において、表面側ケースの一つの面と裏面側ケースの一つの面とが連続して樹脂成形される形状とし、表面側ケースの側面と裏面側ケースの側面とに係合用突起部１１３〜１１８，１２７〜１２８又は切り込み部１２３〜１２６を設け、それぞれのケースの係合用突起部どうしの係合、又は一方のケースの係合用突起部の他方のケースの切り込み部への係合で、両ケース１１０，１２０を接合する構成とした。また、つり下げ用の透孔１１２，１２２と、パッケージ直立用突起部１２９とを設けた。さらに、その直立用突起部１２９にバーコードなどの製品情報の印刷物を収納できるようにした。【選択図】      図４ 
2005153897.tif 000002
【特許請求の範囲】
【請求項１】
少なくとも一部が透明な樹脂で成形された表面側ケースと裏面側ケースとを接合して、内部に製品が収納されるパッケージにおいて、
前記表面側ケースの一つの面と、前記裏面側ケースの一つの面とが連続して樹脂成形される形状とし、
前記表面側ケースの側面と、前記裏面側ケースの側面とに係合用突起部又は切り込み部を設け、
前記それぞれのケースの係合用突起部どうしの係合、又は一方のケースの係合用突起部の他方のケースの切り込み部への係合で、両ケースを接合する構成とした
パッケージ。
【請求項２】
請求項１記載のパッケージにおいて、
前記表面側ケースと裏面側ケースの少なくとも一方の上部に、つり下げ用の透孔を設け、
前記表面側ケースと裏面側ケースの少なくとも一方の下部に、パッケージ直立用突起部を設けた
パッケージ。
【請求項３】
請求項２記載のパッケージにおいて、
前記表面側ケースと前記裏面側ケースとが連続して樹脂成形される面を、各ケースの下面として、その連続した面を折り曲げて形成される直線部と、前記パッケージ直立用突起部とで、直立させる形状とした
パッケージ。
【請求項４】
請求項２記載のパッケージにおいて、
前記パッケージ直立用突起部の内部に、前記製品を認識するのに必要な情報を記載した印刷物を収納させ、
前記情報をパッケージの底面側から見えるようにした
パッケージ。
【請求項５】
請求項１記載のパッケージにおいて、
前記裏面側ケースの中央には、平面部を設け、
前記平面部に複数箇所の凸部を設けた
パッケージ。
【請求項６】
請求項１記載のパッケージにおいて、
パッケージ内に収納される製品として、前記表面側ケースから見える側の製品の装飾状態と、前記裏面側ケースから見える側の製品の装飾状態とを変えるようにした
パッケージ。
【発明の詳細な説明】
【技術分野】
【０００１】
本発明は、例えば比較的小型の電子機器を収納して展示販売するのに適したパッケージに関する。
【背景技術】
【０００２】
従来、比較的小型の電子機器、例えばヘッドホンのような製品を販売する場合には、顧客に製品そのものが見えるように、透明な樹脂で成形されたパッケージ内に、製品を収納させて、販売店で陳列する場合がある。陳列形態としては、例えば陳列棚に設けられたつり下げ用の棒に、パッケージの上部に設けた透孔を通して、パッケージをつり下げる形態とすることが多い。或いは、陳列棚の上にパッケージを直接置いて、並べるようなこともあるが、この種のパッケージは、形状が複雑である場合が多く、展示用の箱に入れないと、パッケージが棚の上に直立しない場合が多々ある。
【０００３】
この収納された製品が見える樹脂製のパッケージとしては、従来、クラムシェルパッケージと称される形状のものがある（特許文献１参照）。このクラムシェルパッケージは、透明な樹脂で形成された表面側クラムシェルの周面と、同じく透明な樹脂で形成された裏面側クラムシェルの周面とを、全周にわたって溶着などで接合して、内部の製品を密封させる構造である。
【０００４】
また、別の形状のパッケージとして、例えば樹脂製のパッケージの背面側に台紙となる紙を張りつけて、表面側から製品が見えるようにしたプリスタパッケージと称されるものがある（特許文献２参照）。プリスタパッケージの場合にも、樹脂製のパッケージと台紙とを貼り合わせる必要がある。
【特許文献１】特開２００１−２８７７７１号公報
【特許文献２】特開平７−３３００２５号公報
【発明の開示】
【発明が解決しようとする課題】
【０００５】
ところが、特許文献１に記載されているようなクラムシェルパッケージは、製品の収納時には熱溶着などの作業が必要であり、また開封する際にハサミなどでパッケージを切り開く必要があり、手間がかかる問題があり、さらに一度開封すると、そのパッケージを製品の収納ケースとして利用できない問題があり、例えば販売店で内部を確かめるために開封することは困難であった。
【０００６】
また、従来のこの種のパッケージは、パッケージ内の背面部に紙を入れて、その背面紙の上に製品を載せた状態で、パッケージで覆うようにしてあるのが一般的であり、パッケージに入った状態では、顧客には製品の正面又は側面しか見えない状態になっていて、裏面側を見ることはできない問題があった。
【０００７】
また、複雑な形状のパッケージの場合には、そのパッケージを販売店で陳列棚の上に直接載せて陳列するような場合、そのままではパッケージが直立しない場合が多いので、パッケージを直立させて陳列するための専用の収納箱が必要であり、無駄な経費を必要とする問題があった。
【０００８】
また、この種の製品を販売する場合、販売店での在庫管理などの流通管理のために、商品を識別するための情報（バーコード，製品の形式名，製品番号，色の区別など）を印刷して、パッケージのいずれかの箇所に取付けるようにしてあるが、そのバーコードなどが目立つ位置にあると、パッケージのデザイン上、好ましくない問題があるが、逆にバーコードなどが目立たないと、販売時には製品を探したりするのに手間どる問題がある。通常は、このような情報は、パッケージ内の背面部に入れた紙の裏面側に印刷するようにしてあるが、必ずしも好ましいとは言えなかった。
【０００９】
本発明はこれらの点に鑑みてなされたものであり、種々の形態で良好に陳列展示できる形状のパッケージを提供することを目的とする。
【課題を解決するための手段】
【００１０】
本発明は、少なくとも一部が透明な樹脂で成形された表面側ケースと裏面側ケースとを接合して、内部に製品が収納されるパッケージにおいて、表面側ケースの一つの面と裏面側ケースの一つの面とが連続して樹脂成形される形状とし、表面側ケースの側面と裏面側ケースの側面とに係合用突起部又は切り込み部を設け、それぞれのケースの係合用突起部どうしの係合、又は一方のケースの係合用突起部の他方のケースの切り込み部への係合で、両ケースを接合する構成としたものである。
【００１１】
このようにしたことで、表面側ケースと裏面側ケースとを重ね合わせて、それぞれのケースの係合用突起部どうしの係合、又は一方のケースの係合用突起部の他方のケースの切り込み部への係合で、両ケースを接合することができ、製品を収納状態とすることができる。
【発明の効果】
【００１２】
本発明によると、表面側ケースと裏面側ケースとを重ね合わせて、それぞれのケースの係合用突起部どうしの係合、又は一方のケースの係合用突起部の他方のケースの切り込み部への係合で、両ケースを接合することができ、製品を収納状態とすることができる。従って、従来のクラムシェルパッケージのように、パッケージを切り開くようなことをすることなく、簡単にパッケージを開けることができ、また一度パッケージを開けた後でも、簡単に再度、そのパッケージを閉じることができる。
【００１３】
この場合、表面側ケースと裏面側ケースの少なくとも一方の上部に、つり下げ用の透孔を設け、表面側ケースと裏面側ケースの少なくとも一方の下部に、パッケージ直立用突起部を設けたことで、つり下げて陳列する場合と、棚の上に置いて陳列する場合の、いずれの陳列形態であっても、良好に陳列できる。
【００１４】
また、表面側ケースと裏面側ケースとが連続して樹脂成形される面を、各ケースの下面として、その連続した面を折り曲げて形成される直線部と、パッケージ直立用突起部とで、直立させる形状としたことで、折り曲げて形成される比較的厚みのある直線部と、パッケージ直立用突起部とで安定して直立させることが可能な形状にできる。
【００１５】
また、パッケージ直立用突起部の内部に、製品を認識するのに必要なバーコードなどの情報を記載した印刷物を収納させ、この情報をパッケージの底面側から見えるようにしたことで、表面や裏面からはこれらの情報が見えない状態となり、製品の陳列が良好に行えると共に、底面にあるので、販売員などは容易にバーコードなどの状態を探すことができる。
【００１６】
また、裏面側ケースの中央には、平面部を設け、平面部に複数箇所の凸部を設けたことで、同じ形状のパッケージを複数用意して、輸送時などに箱に入れた場合、その凸部を有する平面部どうしが近接するように収納させることで、箱の内部での位置が定まると共に、凸部があるために平面部どうしの直接的な接触が避けられ、パッケージに傷などを付着させることなく、良好に収納できるようになる。
【００１７】
また、  パッケージ内に収納される製品として、表面側ケースから見える側の製品の装飾状態と、裏面側ケースから見える側の製品の装飾状態とを変えるようにしたことで、１つの製品の２の装飾状態を、パッケージを開けることなく見せることが可能になり、製品の形態を効果的に見せることが可能になる。
【発明を実施するための最良の形態】
【００１８】
以下、本発明の一実施の形態を、添付図面を参照して説明する。
本例のパッケージは、比較的小型な電子機器であるヘッドホンを収納して、販売時に陳列するためのパッケージとしてあり、比較的硬質で透明の合成樹脂で成形させてある。図１〜図３は、パッケージを組み立ててヘッドホンを収納させた状態を示してあり、内部にヘッドホン１０を収納させてある。本例のパッケージ１００は、各図に示すように、縦長の楕円形状としてあり、表面側ケース１１０と裏面側ケース１２０とを接合して、内部にできる空間に製品を収納するようにしてあり、その空間を確保するために、表面側ケース１１０の中央部には円形突起部１１１があり、裏面側ケース１２０の中央部には円形突起部１２１がある。但し、裏面側ケース１２０の円形突起部１２１の中央には、平面部１２１ａを設けてある。
【００１９】
図４は本例のパッケージ１００を展開した状態を平面で示してある。図４Ａは上面図、図４Ｂは側面図、図４Ｃは底面図である。これらの各平面図に示されるように、本例のパッケージ１００は、表面側ケース１１０の下部と裏面側ケース１２０の下部とが、連続して形成させてあり、その接合部が直線状の折り曲げ部１０１となっている。
【００２０】
表面側ケース１１０の上部には、つり下げ用透孔１１２があり、裏面側ケース１２０の上部（図４では反対を向いているので下部）には、つり下げ用透孔１２２があり、折り曲げ部１０１で折り曲げたときに、２つのつり下げ用透孔１１２，１２２が連続する位置としてある。
【００２１】
表面側ケース１１０の側面の右上，左上，右下，左下の４隅には、係合用突起部１１３，１１４，１１５，１１６を設けてあり、さらに側面のほぼ中央の左右には、係合用突起部１１７，１１８を設けてある。裏面側ケース１２０の側面の右上，左上，右下，左下の４隅には、切り込み部１２３，１２４，１２５，１２６を設けてあり、さらに側面のほぼ中央の左右には、係合用突起部１２７，１２８を設けてある。パッケージ１００として組み立てる際には、表面側ケース１１０側の係合用突起部１１３〜１１６を折り返した上で、裏面側ケース１２０側の切り込み部１２３〜１２６に差し込んで係合させると共に、表面側ケース１１０側の側面左右の係合用突起部１１７，１１８と、裏面側ケース１２０側の側面左右の係合用突起部１２７，１２８どうしを係合させるようにしてある。
【００２２】
係合用突起部１１７，１１８と係合用突起部１２７，１２８とを係合させる際には、図６に示した処理工程で、係合させるようにしてある。即ち、例えば図６Ａに示すように、表面側ケース１１０側の係合用突起部１１７と、裏面側ケース１２０側の係合用突起部１２７とは、組み立てた状態のとき、上下に反対の形状で近接するようにしてある。それぞれの突起部には、切り込み１１７ａ，１２７ａが形成させてあり、この切り込み１１７ａ，１２７ａも上下に位置が反転している。ここで、図６Ａに矢印で示すように、それぞれの係合用突起部１１７，１２７を内側に折り返し、図６Ｂに示すように、それぞれの切り込み１１７ａ，１２７ａが重なり合うようにして、図６Ｃに示すように、係合させて２つのケース１１０，１２０を接合するようにしてある。図６Ｃでは説明を簡単にするために一方の係合用突起部１１７が外側に出ているが、実際には、２つの係合用突起部１１７，１２７が、２枚のケース１１０，１２０の間に入るように折り込んで、組み立てられた状態では突出しないようにしてある。反対側の係合用突起部１１８，１２８についても同様の構成である。
【００２３】
裏面側ケース１２０の中央の円形突起部１２１の平面部１２１ａには、複数箇所（ここでは４箇所）に微小な凸部１２１ｂを形成させてある。この凸部１２１ｂがあることで、パッケージ１００を複数個用意して箱に収納させた場合に、ケース表面どうしが直接接触しないようになる。
【００２４】
また、裏面側ケース１２０の下部には、パッケージ直立用突起部１２９が設けてある。この直立用突起部１２９は、組み立てた際に下側になる面が、円筒状の部材の曲面部の如き形状の曲面部１２９ａとなっている。このパッケージ１００を直立させる際には、この曲面部１２９ａの中央部と、直線状の折り曲げ部１０１の一方１０１ａ及び他方１０１ｂ（図４及び図７参照）とが、このパッケージを載せた棚などの上に接触して、直立するようになる。このようにデザイン的に優れた形状である楕円形状に構成したパッケージ１００であっても、そのパッケージ１００だけで直立するので、販売店などで陳列する際に、棚などに載せる際に、別途パッケージを直立させるための箱などが必要なくなる。つり下げ用の棒やフックなどにつり下げて陳列する際には、つり下げ用の透孔１１１，１２１を使用すれば良い。
【００２５】
なお、本例の直立用突起部１２９の曲面部１２９ａの内部には、このパッケージ１００で収納させる製品１０についての情報を記載した紙を配置するようにしてある。この情報を記載した紙の配置状態については後述する。
【００２６】
図５は、図４に示した展開した状態の表面側ケース１１０と裏面側ケース１２０とを、折り曲げ部１０１で折り曲げてパッケージを組み立てる状態を示した図である。本例の場合には、収納する製品であるヘッドホン１０を保持するための製品保持部材２００を、円形突起部１１１，１２１で形成させる空間内に配置するようにしてある。製品保持部材２００についても、ここでは透明な合成樹脂で形成させてあり、表面側保持部材２１０と裏面側保持部材２２０とを、折り曲げ部２０１で折り曲げて組み立てるようにしてある。製品保持部材２００の形状は、収納させる製品（ここではヘッドホン１０）の形状に合わせた形状としてある。即ち、ヘッドホン１０はバンド部を折り曲げて収納できる形状としてあり、表面側ケース１１０を通して見える位置に、左側ハウジング部２１Ｌが配置され、裏面側ケース１２０を通して見える位置に、右側ハウジング部２１Ｒが配置される形状としてある。
【００２７】
なお、図５では省略してあるが、実際にはパッケージ１００と製品保持部材２００との間には、紙を挟むようにしてあり、２つのケース１１０，１２０の円形突起部１１１，１２１以外の部分は、その紙で覆われるようにして、内部が見えないようにしてある（後述する装飾用紙３００がその紙の一部）。その見えない部分に、ヘッドホン用のコードなどを収納するようにしてある。また、表面側の紙には、製品名などを印刷してあり、裏面側の紙には、製品の仕様や特長（特徴）などを印刷してある。
【００２８】
なお、パッケージ１００内に配置される本例のヘッドホン１０のハウジング部２１Ｌ，２１Ｒには、三角形状のハウジングキャップ３１Ｌ，３１Ｒと、円形形状のハウジングキャップ３２Ｌ，３２Ｒの内の、ユーザが好みのものを取付けられるようにしてあり、その２種類のハウジングキャップ３１Ｌ，３１Ｒと３２Ｌ，３２Ｒを、パッケージ１００に収納させて販売するようにしてある。
【００２９】
この場合、図８に表面側の収納状態を示すように、表面側ケース１１０の内部に配置される左側ハウジング部２１Ｌには、三角形状のハウジングキャップ３１Ｌを取付けてあり、円形形状のハウジングキャップ３２Ｌは、製品保持部材２００で脇に保持するようにしてある。また、図９に裏面側の収納状態を示すように、裏面側ケース１２０の内部に配置される右側ハウジング部２１Ｒには、円形形状のハウジングキャップ３２Ｒを取付けてあり、三角形状のハウジングキャップ３１Ｒは、製品保持部材２００で脇に保持するようにしてある。図８，図９に示すように、パッケージ１００内に配置されたヘッドホン１０は、バンド部１１〜１６を折り曲げた収納状態としてある。
【００３０】
このように、本例のパッケージ１００に収納された製品（ヘッドホン１０）は、表面側と裏面側とで異なる装飾状態（形状の違い，色の違いなど）で配置されることになり、製品のデザイン的な特徴を、２つの面を使って効果的に見せることが可能になる。
【００３１】
次に、図７を参照して、本例のパッケージ１００の底面部の構成について説明すると、既に説明したように、本例のパッケージ１００の裏面側ケース１２０には、直立用突起部１２９を設けるようにしてあるが、その直立用突起部１２９の曲面部１２９ａの内部には、このパッケージ１００で収納させる製品１０を識別するのに必要な情報を記載した紙を配置するようにしてある。即ち、図７に詳細を示すように、パッケージ１００の内部の下側に配置された装飾用紙３００として、下側に延びた製品情報印刷部３１０を設けてあり、その製品情報印刷部３１０を約９０°曲折させると共に、若干湾曲させて、直立用突起部１２９の曲面部１２９ａの内部に配置するようにしてある。製品情報印刷部３１０には、会社名，製品番号などを示したバーコード３１１や、製品番号，色などが印刷してある。このようにしたことで、パッケージ１００の底面を外側から見ることで、製品情報印刷部３１０に印刷された情報を、容易に認識できるようになる。また、このように底面部に配置してあるので、パッケージ１００の表面や裏面を見たときには、バーコードなどの情報が見えず、デザイン的にこれらの情報を隠すように機能することになる。
【００３２】
図１０は、本例のパッケージ１００を、輸送などのための箱９０に収納させた状態を示した図である。ここでは、２つのパッケージ１００を表裏を逆にして箱９０に収納させてある。即ち、パッケージ１００の裏側ケース１２０の中央の平面部１２１ａどうしが接するように配置することで、各パッケージ１００は、上端部と、底面の折り曲げ部１０１と、表面側の円形部１１１とが、箱９０の各面と接するようになり、良好に箱９０の内部に保持される。なお、図１０では２個のパッケージだけを示してあるが、この２個の組み合わせを、横方向（図１０で手前から奥になる方向）に並べることで、４個，６個などの複数個のパッケージを収納できる箱が構成できる。
【００３３】
なお、上述した実施の形態においては、製品としてヘッドホンを収納させたパッケージとしたが、その他の各種電子機器などの製品を収納させるパッケージにも適用可能であることは勿論である。
【００３４】
また、上述した実施の形態では、パッケージを構成する樹脂部品は、全てを透明な樹脂で成形するようにしたが、例えば収納した製品が見える部分だけを透明としたり、或いは半透明の樹脂とするようなことが可能である。
【００３５】
また、上述した実施の形態では、つり下げ用の透孔を表面側ケースと裏面側ケースの両方に設けるようにしたが、両ケースを組み立てた場合に、その２つのケースが重ならない位置であれば、何れか一方のケースにだけつり下げ用の透孔を設けるようにしても良い。
【図面の簡単な説明】
【００３６】
【図１】本発明の一実施の形態によるパッケージの構成例を示した側面図である。
【図２】本発明の一実施の形態によるパッケージを斜め前から見た斜視図である。
【図３】本発明の一実施の形態によるパッケージを斜め後ろから見た斜視図である。
【図４】本発明の一実施の形態によるパッケージの構成例を示した平面図であり、Ａは上面図、Ｂは側面図、Ｃは底面図である。
【図５】本発明の一実施の形態によるパッケージの組み立て状態の例を示した説明図である。
【図６】本発明の一実施の形態によるパッケージの側面の固定状態の例を示した説明図である。
【図７】本発明の一実施の形態によるパッケージの底面の構成例を示した斜視図である。
【図８】本発明の一実施の形態によるパッケージに製品を収納した状態の例を示した表面側の平面図である。
【図９】本発明の一実施の形態によるパッケージに製品を収納した状態の例を示した裏面側の平面図である。
【図１０】本発明の一実施の形態によるパッケージを箱に収納させた例を示した説明図である。
【符号の説明】
【００３７】
１０…ヘッドホン、１１，１２，１３，１４，１５，１６…バンド部、２１Ｌ，２１Ｒ…ハウジング部、３１Ｌ，３１Ｒ，３２Ｌ，３２Ｒ…ハウジングキャップ、１００…パッケージ、１０１…折り曲げ部、１１０…表面側ケース、１１１…円形突起部、１１２…つり下げ用透孔、１１３，１１４，１１５，１１６，１１７，１１８…係合用突起部、１２０…裏面側ケース、１２１…円形突起部、１２１ａ…平面部、１２１ｂ…凸部、１２２…つり下げ用透孔、１２３，１２４，１２５，１２６…切り込み部、１２７，１２８…係合用突起部、１２９…直立用突起部、１２９ａ…曲面部、２００…製品保持部材、２０１…折り曲げ部、２１０…表面側保持部材、２２０…裏面側保持部材、３００…装飾用紙、３１０…製品情報印刷部、３１１…バーコード
【図１】
2005153897.tif 000003
【図２】
2005153897.tif 000004
【図３】
2005153897.tif 000005
【図４】
2005153897.tif 000006
【図５】
2005153897.tif 000007
【図６】
2005153897.tif 000008
【図７】
2005153897.tif 000009
【図８】
2005153897.tif 000010
【図９】
2005153897.tif 000011
【図１０】
2005153897.tif 000012